(57)【要約】      （修正有）【課題】装置に保存されるデータの安全性を高め、情報の漏洩を防止する表示装置を提供する。【解決手段】画像データに基づき画像を表示するプロジェクター１００は、暗号化されたデータを記憶する記憶部１７０と、プロジェクター１００の位置を特定するＧＰＳ測位部１３５と、ＧＰＳ測位部１３５により特定された位置が、事前に設定された位置であるか否かを判定する暗号化処理部１６５とを備える。暗号化処理部１６５は、特定された位置が、事前に設定された位置ではないと判定された場合に、記憶部１７０に記憶されたデータの復号を制限する。【選択図】図１
2017092516.tif 000002
【特許請求の範囲】
【請求項１】
画像データに基づき画像を表示する表示装置であって、
暗号化されたデータを記憶する記憶部と、
前記表示装置の位置を特定する位置特定部と、
前記位置特定部により特定された前記位置が、事前に設定された位置であるか否かを判定する判定部と、
前記判定部により、事前に設定された前記位置ではないと判定された場合に、前記記憶部に記憶された前記データの復号を制限する復号制御部と、
を備えることを特徴とする表示装置。
【請求項２】
外部から供給された画像データに基づく画像を表示させる表示部と、
前記表示部により前記画像が表示された表示面への指示体による操作を検出する検出部と、
前記検出部が検出した操作に対応した画像データを生成する生成部と、
外部から供給された前記画像データと、前記生成部により生成された前記操作に対応した画像データとの少なくとも一方を暗号化し、前記記憶部に記憶させる暗号化部と、
を備えることを特徴とする請求項１記載の表示装置。
【請求項３】
前記暗号化部は、外部から供給された前記画像データと、前記生成部により生成された前記操作に対応した画像データとの少なくとも一方を、前記位置特定部により特定された位置情報に基づく暗号化キーにより暗号化する、ことを特徴とする請求項２記載の表示装置。
【請求項４】
前記位置特定部により特定された前記位置が、前記判定部により事前に設定された前記位置であると判定された場合に、前記記憶部に記憶された前記データを復号する処理部を備える、ことを特徴とする請求項１から３のいずれかに記載の表示装置。
【請求項５】
前記処理部は、前記位置特定部により特定される位置情報に基づく暗号化キーにより暗号化された前記データを、前記位置情報に基づく復号キーにより復号する、ことを特徴とする請求項４記載の表示装置。
【請求項６】
前記暗号化部は、前記位置特定部により特定された前記位置が、前記判定部により事前に設定された前記位置ではないと判定された場合に、前記記憶部に記憶された前記データをさらに暗号化する、ことを特徴とする請求項２に記載の表示装置。
【請求項７】
前記記憶部は、半導体メモリー素子により構成され、
前記復号制御部は、前記位置特定部により特定された前記位置が、前記判定部により事前に設定された前記位置ではないと判定された場合に、前記半導体メモリー素子に対し、事前に設定された回数以上の書き込み処理を実行する、ことを特徴とする請求項１から６のいずれかに記載の表示装置。
【請求項８】
前記判定部は、前記表示装置の起動時に、前記位置特定部により特定された前記位置が、事前に設定された前記位置であるか否かを判定する、ことを特徴とする請求項１から７のいずれかに記載の表示装置。
【請求項９】
前記判定部は、前記位置特定部により特定された前記位置が、事前に設定された範囲内にある場合に、特定された前記位置が、事前に設定された前記位置にあると判定する、ことを特徴とする請求項１から８のいずれかに記載の表示装置。
【請求項１０】
画像データに基づき画像を表示する表示装置のデータ保護方法であって、
前記表示装置の位置を特定する特定ステップと、
前記特定ステップにより特定された前記位置が、事前に設定された位置であるか否かを判定する判定ステップと、
前記判定ステップにより、事前に設定された前記位置ではないと判定された場合に、暗号化されたデータを記憶する記憶部に記憶された前記データの復号を制限する制限ステップと、
を有することを特徴とする表示装置のデータ保護方法。
【発明の詳細な説明】
【技術分野】
【０００１】
本発明は、表示装置、及び、表示装置のデータ保護方法に関する。
【背景技術】
【０００２】
近年、画像を表示する表示装置は、小型化、軽量化が進み、持ち運びが可能な装置も増えてきた。このため、表示装置には、盗難を防止する機能や、不正使用を防止する機能等の種々の機能が搭載されるようになってきた（例えば、特許文献１参照）。
特許文献１は、セキュリティ部を備える投射型プロジェクターと、投射型プロジェクターとは別個に設けられた不正使用防止装置とを備え、セキュリティ部で算出された位置と、不正使用防止装置で算出された位置との距離が閾値距離以上であるか否かを判定し、投射型プロジェクターの光源の点灯、非点灯を決定する投射型プロジェクターの不正使用防止システムを開示する。
【先行技術文献】
【特許文献】
【０００３】
【特許文献１】特開２０１４−１３７４７９号公報
【発明の概要】
【発明が解決しようとする課題】
【０００４】
ところで、表示装置には、記憶装置を搭載し、会議資料や会議内容のメモ等の機密情報の保存が可能な装置がある。このため、表示装置に保存されるデータが漏洩しないように対策し、データの安全性を確保する必要がある。
本発明は、上記事情に鑑みてなされたものであり、表示装置に保存されるデータの安全性を高め、情報の漏洩を防止した表示装置、及び、表示装置のデータ保護方法を提供することを目的とする。
【課題を解決するための手段】
【０００５】
上記目的を達成するために本発明の表示装置は、画像データに基づき画像を表示する表示装置であって、暗号化されたデータを記憶する記憶部と、前記表示装置の位置を特定する位置特定部と、前記位置特定部により特定された前記位置が、事前に設定された位置であるか否かを判定する判定部と、前記判定部により、事前に設定された前記位置ではないと判定された場合に、前記記憶部に記憶された前記データの復号を制限する復号制御部と、を備えることを特徴とする。
本発明によれば、表示装置に保存されるデータの安全性を高め、情報の漏洩を防止することができる。
【０００６】
また、本発明は、上記表示装置において、外部から供給された画像データに基づく画像を表示させる表示部と、前記表示部により前記画像が表示された表示面への指示体による操作を検出する検出部と、前記検出部が検出した操作に対応した画像データを生成する生成部と、外部から供給された前記画像データと、前記生成部により生成された前記操作に対応した画像データとの少なくとも一方を暗号化し、前記記憶部に記憶させる暗号化部とを備えることを特徴とする。
本発明によれば、表示面に画像を表示させた画像データと、操作に対応した画像データとの少なくとも一方を暗号化し、記憶部に記憶させることができる。
【０００７】
また、本発明は、上記表示装置において、前記暗号化部は、外部から供給された前記画像データと、前記生成部により生成された前記操作に対応した画像データとの少なくとも一方を、前記位置特定部により特定された位置情報に基づく暗号化キーにより暗号化することを特徴とする。
本発明によれば、表示装置が盗まれたり、無断でデータがコピーされたりしたとしても、事前に設定された位置以外の他の位置での復号は不可能となる。このため、事前に設定された位置以外の他の位置でのデータの閲覧を制限することができる。
【０００８】
また、本発明は、上記表示装置において、前記位置特定部により特定された前記位置が、前記判定部により事前に設定された前記位置であると判定された場合に、前記記憶部に記憶された前記データを復号する処理部を備えることを特徴とする。
本発明によれば、表示装置の位置が事前に設定された位置である場合に、データを復号することができる。
【０００９】
また、本発明は、上記表示装置において、前記処理部は、前記位置特定部により特定される位置情報に基づく暗号化キーにより暗号化された前記データを、前記位置情報に基づく復号キーにより復号することを特徴とする。
本発明によれば、表示装置が盗まれたり、無断でデータがコピーされたりしたとしても、事前に設定された位置以外の他の位置での復号は不可能となる。このため、事前に設定された位置以外の他の位置でのデータの閲覧を制限することができる。
【００１０】
また、本発明は、上記表示装置において、前記暗号化部は、前記位置特定部により特定された前記位置が、前記判定部により事前に設定された前記位置ではないと判定された場合に、前記記憶部に記憶された前記データをさらに暗号化することを特徴とする。
本発明によれば、無断複製、紛失、盗難等によりデータが第三者の手に渡っても、データの閲覧を不可能にして、情報の安全性をさらに高めることができる。
【００１１】
また、本発明は、上記表示装置において、前記記憶部は、半導体メモリー素子により構成され、前記復号制御部は、前記位置特定部により特定された前記位置が、前記判定部により事前に設定された前記位置ではないと判定された場合に、前記半導体メモリー素子に対し、事前に設定された回数以上の書き込み処理を実行することを特徴とする。
本発明によれば、無断複製、紛失、盗難等によりデータが第三者の手に渡っても、データの閲覧を不可能にして、情報の安全性をさらに高めることができる。
【００１２】
また、本発明は、上記表示装置において、前記判定部は、前記表示装置の起動時に、前記位置特定部により特定された前記位置が、事前に設定された前記位置であるか否かを判定することを特徴とする。
本発明によれば、表示装置が第三者により盗まれ、事前に設定された位置以外の他の位置で表示装置が起動されても、データの閲覧を制限することができる。
【００１３】
また、本発明は、上記表示装置において、前記判定部は、前記位置特定部により特定された前記位置が、事前に設定された範囲内にある場合に、特定された前記位置が、事前に設定された前記位置にあると判定することを特徴とする。
本発明によれば、事前に設定された範囲内で、表示装置を使用することができる。
【００１４】
本発明の表示装置のデータ保護方法は、画像データに基づき画像を表示する表示装置のデータ保護方法であって、前記表示装置の位置を特定する特定ステップと、前記特定ステップにより特定された前記位置が、事前に設定された位置であるか否かを判定する判定ステップと、前記判定ステップにより、事前に設定された前記位置ではないと判定された場合に、暗号化されたデータを記憶する記憶部に記憶された前記データの復号を制限する制限ステップと、を有することを特徴とする。
本発明によれば、表示装置に保存されるデータの安全性を高め、情報の漏洩を防止することができる。
【図面の簡単な説明】
【００１５】
【図１】プロジェクターの構成図。
【図２】制御部の処理フローを示すフローチャート。
【図３】処理フローの続きを示すフローチャート。
【図４】処理フローの続きを示すフローチャート。
【発明を実施するための形態】
【００１６】
以下、図面を参照して本発明の実施形態について説明する。
図１は、表示装置としてのプロジェクター１００の構成図である。
プロジェクター１００は、スクリーンＳＣ（表示面）の前方に床置き又は台置きされ、画像をスクリーンＳＣに投射する。本実施形態では、画像の投射先を、スクリーンＳＣとして説明するが、壁等の平らな投射面や、建物や物体等の一様に平らでない物体であってもよい。
【００１７】
プロジェクター１００には、画像供給装置２００が接続される。画像供給装置２００は、プロジェクター１００に画像データを供給する装置である。プロジェクター１００は、画像供給装置２００から供給される画像データ、又は後述する記憶部１７０に事前に記憶した画像データに基づく画像をスクリーンＳＣに投射する。画像供給装置２００には、例えば、ビデオ再生装置、ＤＶＤ（Digital Versatile Disk）再生装置、テレビチューナー装置、ＣＡＴＶ（Cable television）のセットトップボックス、ビデオゲーム装置等の映像出力装置、パーソナルコンピューター等が用いられる。
【００１８】
プロジェクター１００は、画像供給装置２００が接続される画像入力部１５１を備える。画像入力部１５１は、ケーブルを接続するコネクター及びインターフェース回路（いずれも図示略）を備え、画像供給装置２００から供給される画像データを入力する。
画像入力部１５１が備えるインターフェースは、例えば、Ｅｔｈｅｒｎｅｔ（登録商標）、ＩＥＥＥ１３９４、ＵＳＢ等のデータ通信用のインターフェースであってもよい。また、画像入力部１５１のインターフェースは、ＭＨＬ（登録商標）、ＨＤＭＩ（登録商標）、ＤｉｓｐｌａｙＰｏｒｔ等の画像データ用のインターフェースであってもよい。
また、画像入力部１５１は、コネクターとして、アナログ映像信号が入力されるＶＧＡ端子や、デジタル映像データが入力されるＤＶＩ（Digital Visual Interface）端子を備える構成であってもよい。さらに、画像入力部１５１は、Ａ／Ｄ変換回路を備え、ＶＧＡ端子を介してアナログ映像信号が入力された場合、Ａ／Ｄ変換回路によりアナログ映像信号を画像データに変換し、後述の画像処理部１５２に出力する構成であってもよい。
【００１９】
プロジェクター１００は、光学的な画像の形成を行い、スクリーンＳＣに画像を表示（投射）させる表示部１１０を備える。
表示部１１０は、光源部１１１、光変調装置１１２及び投射光学系１１３を備える。光源部１１１は、キセノンランプ、超高圧水銀ランプ、ＬＥＤ（Light Emitting Diode）又はレーザー光源等からなる光源を備える。また、光源部１１１は、光源が発した光を光変調装置１１２に導くリフレクター及び補助リフレクターを備えていてもよい。さらに、光源部１１１は、投射光の光学特性を高めるためのレンズ群、偏光板、又は光源が発した光の光量を光変調装置１１２に至る経路上で低減させる調光素子等（いずれも図示略）を備えていてもよい。
【００２０】
光源部１１１は、光源駆動部１２１により駆動される。光源駆動部１２１は、内部バス１８０に接続される。光源駆動部１２１は、制御部１６０の制御により光源部１１１の光源を点灯及び消灯させる。
【００２１】
光変調装置１１２は、例えばＲＧＢの三原色に対応した３枚の液晶パネルを備える。光源部１１１が発する光はＲＧＢの３色の色光に分離され、それぞれ対応する液晶パネルに入射される。３枚の液晶パネルは、透過型の液晶パネルであり、透過する光を変調して画像光を生成する。各液晶パネルを通過して変調された画像光は、クロスダイクロイックプリズム等の合成光学系によって合成され、投射光学系１１３に射出される。
【００２２】
光変調装置１１２は、光変調装置駆動部１２２により駆動される。光変調装置駆動部１２２は、内部バス１８０に接続される。
光変調装置駆動部１２２は、後述する画像合成部１５３から入力される表示画像データに基づいてＲ，Ｇ，Ｂの画像信号を生成する。光変調装置駆動部１２２は、生成したＲの画像信号、Ｇの画像信号、Ｂの画像信号に基づいて対応する液晶パネルを駆動し、各液晶パネルに画像を描画する。
【００２３】
投射光学系１１３は、光変調装置１１２により変調された画像光をスクリーンＳＣ方向へ投射して、スクリーンＳＣ上に結像させるレンズ群を備える。また、投射光学系１１３は、スクリーンＳＣの投射画像の拡大・縮小及び焦点の調整を行うズーム機構、フォーカスの調整を行うフォーカス調整機構を備えていてもよい。
【００２４】
プロジェクター１００は、操作パネル１３１及び入力処理部１３３を備える。入力処理部１３３は、内部バス１８０に接続される。
ユーザーインターフェースとして機能する操作パネル１３１には、各種の操作キーや、液晶パネルにて構成された表示画面が設けられる。
入力処理部１３３は、操作パネル１３１の操作キーが操作されると、操作されたキーに対応した操作信号を制御部１６０に出力する。また、操作パネル１３１には、操作パネル１３１への接触を検出するタッチセンサーが重ね合わされて一体形成される。入力処理部１３３は、ユーザーの指等が接触した操作パネル１３１の位置を入力位置として検出し、検出した入力位置に対応した操作信号を制御部１６０に出力する。さらに、入力処理部１３３は、制御部１６０から入力される制御信号に基づいて、操作パネル１３１に各種画面を表示させる。
【００２５】
また、プロジェクター１００は、ユーザーが使用するリモコン５を有する。リモコン５は各種のボタンを備えており、これらのボタンの操作に対応して赤外線信号を送信する。プロジェクター１００の本体には、リモコン５が発する赤外線信号を受光するリモコン受光部１３２が配置されている。リモコン受光部１３２は、リモコン５から送信される赤外線信号を受光する。入力処理部１３３は、リモコン受光部１３２が受光した赤外線信号をデコードして、リモコン５における操作内容を示す操作信号を生成し、制御部１６０に出力する。
【００２６】
プロジェクター１００は、位置特定部としてのＧＰＳ測位部１３５及び無線通信部１３７を備える。ＧＰＳ測位部１３５及び無線通信部１３７は、内部バス１８０に接続される。
ＧＰＳ測位部１３５は、ＧＰＳアンテナ（図示略）により受信したＧＰＳ電波を入力して解析し、プロジェクター１００の位置情報（緯度及び経度）を算出する。ＧＰＳ測位部１３５は、算出した位置情報を制御部１６０に出力する。
無線通信部１３７は、アンテナやＲＦ（Radio Frequency）回路等を備え（いずれも図示略）、制御部１６０の制御により、外部装置との間で無線通信を実行する。無線通信部１３７の無線通信方式には、例えば無線ＬＡＮ（Local Area Network）、Ｂｌｕｅｔｏｏｔｈ（登録商標）、ＵＷＢ（Ultra Wide Band）、赤外線通信等の近距離無線通信方式、又は携帯電話回線を利用した無線通信方式を採用できる。
【００２７】
プロジェクター１００は、ペン型の指示体７０による操作、及び操作により指示される操作位置を検出する指示体検出部１４０を備える。指示体検出部１４０は、撮影部１４１及び位置検出部１４２を備える。指示体検出部１４０は、内部バス１８０に接続される。
撮影部１４１は、デジタルカメラを備え、スクリーンＳＣを撮影して撮影画像データを生成する。撮影部１４１の撮影範囲、すなわち画角は、スクリーンＳＣの全体又はスクリーンＳＣを含む範囲であることが好ましい。
撮影部１４１に搭載されるカメラは、可視光による撮影を行うものに限定されず、赤外光を撮影するカメラであってもよい。例えば、指示体７０に、赤外光を発光する発光部を設けて、発光部の発光を撮影部１４１により撮影し、指示体７０の操作位置を検出する構成であってもよい。
【００２８】
位置検出部１４２は、指示体７０の操作位置を検出する。位置検出部１４２は、撮影部１４１の撮影画像データを解析して、撮影画像から指示体７０の画像を検出する。位置検出部１４２は、撮影画像から指示体７０の画像を検出すると、指示体７０の先端の位置を検出して、検出した操作位置の座標を特定する。位置検出部１４２が特定する座標は、撮影画像における指示体７０の操作位置の座標である。位置検出部１４２は、検出した操作位置の座標を制御部１６０に出力する。
【００２９】
プロジェクター１００は、画像処理系を備える。この画像処理系は、プロジェクター１００の全体を統合的に制御する制御部１６０を中心に構成され、この他に、記憶部１７０、画像入力部１５１、画像処理部１５２、画像合成部１５３及びフレームメモリー１５４を備える。画像処理系を構成する各部は、内部バス１８０によりデータ通信可能に相互に接続される。
【００３０】
画像処理部１５２は、制御部１６０の制御に従って、画像入力部１５１から入力される画像データを処理し、処理した画像データを画像合成部１５３に出力する。画像処理部１５２が実行する処理には、例えば、解像度変換（スケーリング）処理又はリサイズ処理、歪み補正等の形状補正処理、デジタルズーム処理、色調補正処理、輝度補正処理等である。画像処理部１５２は、制御部１６０により指定された処理を実行し、必要に応じて、制御部１６０から入力されるパラメーターを使用して処理を行う。また、画像処理部１５２は、上記のうち複数の処理を組み合わせて実行することも勿論可能である。
画像供給装置２００から供給され、画像処理部１５２で処理した画像データを、以下では第１画像データという。第1画像データが本発明の「外部から供給された画像データ」に相当する。なお、外部から供給された画像データには、画像供給装置２００から供給され、記憶部１７０に保存された画像データも含まれる。すなわち、プロジェクター１００の電源がオンされた際に、記憶部１７０に保存されていた画像データも含まれる。
【００３１】
画像合成部１５３は、画像処理部１５２から入力される第１画像データをフレームメモリー１５４に展開する。また、画像合成部１５３は、制御部１６０により生成された画像データ（以下、第２画像データという）を取得し、フレームメモリー１５４に展開する。ここで、画像合成部１５３は、画像処理部１５２から入力される第１画像データと、制御部１６０により生成された第２画像データとをフレームメモリー１５４で合成する。画像合成部１５３は、合成した画像データをフレームメモリー１５４から読み出し、表示画像データとして光変調装置駆動部１２２に出力する。
【００３２】
制御部１６０は、ハードウェアとしてＣＰＵ、ＲＯＭ及びＲＡＭ（いずれも図示略）を備える。ＲＯＭは、フラッシュＲＯＭ等の不揮発性の記憶装置であり、制御プログラム及びデータを記憶する。また、ＲＯＭは、登録位置情報を記憶する。登録位置情報とは、記憶部１７０がデータ（後述するコンテンツデータであり、例えば、会議資料としての動画や静止画、会議参加者により入力されたメモ書き等の機密情報）を暗号化して記憶する場合に、データの復号を許可し、データのコピーや再生を許可するか否かを判断するための情報である。すなわち、プロジェクター１００が、登録位置情報として事前に設定された位置にある場合は、データの復号を許可し、事前に設定された位置以外の位置にある場合には、データの復号が制限される。また、事前に設定された「位置」には、１地点を示す場合と、所定の範囲を示す場合との両方が含まれる。例えば、プロジェクター１００の位置を、ＧＰＳ測位部１３５により測定される位置情報により特定し、「位置」が１地点を示す場合は、ＧＰＳ測位部１３５により測位されたプロジェクター１００の現在位置が、事前に設定された位置に一致するか否かが判定される。また、「位置」が所定の範囲を示す場合には、ＧＰＳ測位部１３５により測位されたプロジェクター１００の現在位置が、事前に設定された位置から予め設定された範囲内にあるか否かが判断される。所定の範囲とは、例えば、会議室内や、１フロアー内、会社内等の事前に設定された範囲である。ＲＡＭは、ＣＰＵのワークエリアを構成する。ＣＰＵは、ＲＯＭから読み出した制御プログラムやデータをＲＡＭに展開し、展開された制御プログラムを実行してプロジェクター１００の各部を制御する。
【００３３】
また、制御部１６０は、機能ブロックとして、投射制御部１６１、操作取得部１６２、描画処理部１６３、データ保存部１６４、暗号化処理部１６５及び復号処理部１６７を備える。これらの機能ブロックは、ＲＡＭに展開された制御プログラムを実行することで実現される。描画処理部１６３は、本発明の生成部に相当し、暗号化処理部１６５は、本発明の判定部、復号制御部及び暗号化部に相当する。また、復号処理部１６７は、本発明の処理部に相当する。
【００３４】
投射制御部１６１は、プロジェクター１００の各部を制御して、スクリーンＳＣへの画像の投射を制御する。
具体的には、投射制御部１６１は、画像処理部１５２を制御して、画像供給装置２００から供給される画像データに対する画像処理を実施させる。この際、投射制御部１６１は、画像処理部１５２が処理に必要なパラメーターを記憶部１７０から読み出し、画像処理部１５２に出力してもよい。また、投射制御部１６１は、画像合成部１５３を制御して、第１画像データと第２画像データとを画像を合成する処理を実行させ、光変調装置駆動部１２２を制御して光変調装置１１２の液晶パネルに画像を描画させる。さらに、投射制御部１６１は、光源駆動部１２１を制御して光源部１１１の光源を点灯させ、光源の輝度を調整させる。これにより、光源が発光し、光変調装置１１２が変調する画像光が投射光学系１１３によりスクリーンＳＣに投射される。
【００３５】
操作取得部１６２は、指示体検出部１４０により検出された操作位置を取得する。指示体検出部１４０が検出する操作位置は、撮影画像における座標として制御部１６０に入力される。操作取得部１６２は、指示体検出部１４０から入力された座標を、描画処理部１６３が描画を行うための座標に変換する。操作取得部１６２は、指示体検出部１４０から入力された座標を、フレームメモリー１５４における座標に変換する。
【００３６】
描画処理部１６３は、指示体検出部１４０が検出した操作位置、又は操作位置の軌跡に合わせて、文字や記号、図形を描画する処理を行う。描画処理部１６３は、フレームメモリー１５４に展開される第１画像データのサイズに合わせて、漢字、平仮名、カタカナ、アルファベット、数字等の文字や、記号、図形のデータである第２画像データを生成する。第２画像データは、本発明の「操作に対応した画像データ」に相当する。描画処理部１６３が生成する第２画像データは、画像合成部１５３に出力される。画像合成部１５３は、画像処理部１５２により処理された第１画像データに基づく画像が展開されたフレームメモリー１５４に、描画処理部１６３により生成された第２画像データに基づく画像を重畳して展開し、合成する。
【００３７】
データ保存部１６４は、操作パネル１３１又はリモコン５が操作され、データの保存を指示する入力を受け付けると、画像データを保存するファイルを記憶部１７０に作成する。データ保存部１６４は、フレームメモリー１５４に展開される第１画像データ及び第２画像データの少なくとも一方が変更されるごとに、画像合成部１５３から第１画像データ及び第２画像データ、又は第１画像データ及び第２画像データのいずれか一方を取得する。そして、データ保存部１６４は、取得した画像データ（第１画像データ及び第２画像データの少なくとも一方）をコンテンツデータとして記憶部１７０のファイルに保存する。
また、データ保存部１６４は、コンテンツデータをファイルに保存する際に、コンテンツデータに、コンテンツデータをファイルに保存した時刻を示す時刻情報や、コンテンツデータを特定可能な通し番号等を付してもよい。
また、データ保存部１６４は、画像データ（第１画像データ及び第２画像データ）が変更されたか否かは判定せずに、一定時間の経過ごとに、画像合成部１５３から画像データを取得し、ファイルに保存してもよい。
【００３８】
暗号化処理部１６５は、コンテンツデータの使用を許可する位置（以下、許可位置という）を示す登録位置情報の登録を行う。コンテンツデータの「使用」には、表示部１１０によるスクリーンＳＣへの投射や、プロジェクター１００に他の装置（例えば、パーソナルコンピューターや、ＵＳＢメモリー等）を接続し、復号されたコンテンツデータ自体やその複製を、他の装置に転送して記憶させることが含まれる。また、他の装置（例えば、パーソナルコンピューター）に、無線通信部１３７による無線通信、又は通信ケーブルを介した有線通信により復号されたコンテンツデータを送信することが含まれる。
例えば、操作パネル１３１又はリモコン５のボタンが操作され、プロジェクター１００が初期設定モードに設定されると、暗号化処理部１６５は、操作パネル１３１に、プロジェクター１００が設置された現在の位置を、許可位置として登録するか否かを問い合わせるメッセージを表示させる。現在位置を許可位置として登録するとの操作が入力された場合、暗号化処理部１６５は、ＧＰＳ測位部１３５にプロジェクター１００の現在位置を測位させ、測位結果である位置情報（緯度及び経度の情報）を取得する。暗号化処理部１６５は、取得した緯度及び経度の情報を、登録位置情報としてＲＯＭに記憶させる。
また、暗号化処理部１６５は、現在位置を許可位置として登録しないとの入力を受け付けた場合、操作パネル１３１に、「プロジェクター１００を、許可位置として登録させたい位置に移動させて下さい。」とのメッセージを表示させる。そして、暗号化処理部１６５は、許可位置として登録するとの入力を受け付けるまで待機し、登録するとの入力を受け付けると、ＧＰＳ測位部１３５に、プロジェクター１００の現在位置を測位させ、測位結果である位置情報をＲＯＭに記憶させる。
【００３９】
登録位置情報としてＲＯＭに記憶させる位置情報は、１つだけであってもよいし、複数であってもよい。例えば、プロジェクター１００を、複数の会議室で使用する場合には、複数の登録位置情報の登録を許可してもよい。
また、ＲＯＭに登録された登録位置情報は、管理者権限を有するユーザーの操作により変更できるようにしてもよい。例えば、記憶部１７０に、認証情報としてユーザーＩＤ及びパスワードを記憶させ、暗号化処理部１６５は、これらの認証情報を用いて管理者権限を有するユーザーを認証する。暗号化処理部１６５は、ユーザー認証に成功した場合、操作パネル１３１に、「プロジェクター１００を、許可位置として登録させたい位置に移動させて下さい。」といったメッセージを表示させる。そして、暗号化処理部１６５は、許可位置として登録するとの入力を受け付けるまで待機し、登録するとの入力を受け付けると、ＧＰＳ測位部１３５に、プロジェクター１００の現在位置を測位させ、測位結果である位置情報をＲＯＭに記憶させる。
【００４０】
また、登録位置情報は、記憶部１７０の記憶するファイルの暗号化に使用される。暗号化処理部１６５は、データ保護機能がオンされると、ＲＯＭが記憶する登録位置情報に基づく暗号化キーにより、記憶部１７０が記憶するすべてのファイルを暗号化し、暗号化したファイルを記憶部１７０に記憶させる。
データ保護機能とは、記憶部１７０が記憶するすべてのファイルを暗号化し、登録位置情報として事前に設定された位置（許可位置）でだけファイルの復号等を許可する機能である。
【００４１】
また、暗号化処理部１６５は、乱数発生部１６６を備える。
暗号化処理部１６５は、操作パネル１３１又はリモコン５が操作され、ファイルの復号を要求する入力を受け付けた場合や、電源がオンされてプロジェクター１００が起動した際に、ＧＰＳ測位部１３５に、プロジェクター１００の現在位置を測位させる。暗号化処理部１６５は、ＧＰＳ測位部１３５により測位された位置が、許可位置にない場合、ファイルの復号を制限する。この場合、暗号化処理部１６５は、復号処理部１６７に、ファイルの復号を指示しない。また、暗号化処理部１６５は、乱数発生部１６６に乱数を発生させる。乱数発生部１６６が発生する乱数は、ランダムな桁数のランダムな数字であるとする。暗号化処理部１６５は、乱数発生部１６６が発生した乱数を暗号化キー（復号不能なキー）として、記憶部１７０が記憶するすべてのファイルを暗号化する。暗号化されたファイルは、復号することができないファイルとなる。
プロジェクター１００の現在位置が、許可位置にあるか否かの判定は、プロジェクター１００の現在位置として、ＧＰＳ測位部１３５により測位された位置が、登録位置情報として登録された位置から事前に設定された範囲内にあるか否かにより判定される。ＧＰＳ測位部１３５により測位された位置が、登録位置情報として登録された位置から事前に設定された範囲内にある場合、プロジェクター１００は、許可位置にあると判定される。
また、暗号化処理部１６５は、ＧＰＳ測位部１３５により測位された位置と、登録位置情報として登録された位置とが一致するか否かを判定して、プロジェクター１００が許可位置にあるか否かを判定してもよい。
【００４２】
プロジェクター１００の位置が、事前に設定された位置にない場合に、プロジェクター１００がファイルの外部への漏洩を防止する方法は、乱数発生部１６６が発生した乱数によりファイルを暗号化する方法に限定されない。
例えば、プロジェクター１００の位置が、事前に設定された位置にない場合、暗号化処理部１６５が生成した又は外部から取得した新しい暗号化キーによりファイルを暗号化してもよい。暗号化処理部１６５は、ファイルの暗号化後、暗号化に用いた暗号化キーを、ＲＯＭや記憶部１７０等に記憶させることなく破棄する。これにより、後述する復号処理部１６７が、暗号化されたファイルを復号できないようにする。
また、位置情報は、ＧＰＳ測位部１３５の測位情報に限定されない。例えば、移動体通信網を構成する基地局から取得する位置情報や、基地局がカバーする通信エリアを特定する情報、プロジェクター１００が通信する基地局の識別情報等を位置情報として用いることができる。また、無線ＬＡＮのアクセスポイントからの距離に対応する受信信号強度情報や、アクセスポイントの情報（ＳＳＩＤ、パスワード、アクセスポイントのＩＤ）等を用いて特定されるプロジェクター１００の位置や領域（例えば、会議室等）を位置情報として利用することもできる。
【００４３】
復号処理部１６７は、暗号化処理部１６５により、ファイルの復号を指示された場合、操作パネル１３１又はリモコン５の操作により指定されたファイルを復号する。復号処理部１６７は、ファイルを、登録位置情報に基づく復号キーにより復号する。
ＲＯＭに登録された登録位置情報は、ファイルを暗号化するための暗号化キー、及び暗号化されたファイルを復号するための復号キーとして使用される。
暗号化処理部１６５及び復号処理部１６７は、登録位置情報のうち、東経を示す度、分、秒の数字と、北緯を示す時、分、秒の数字とを組み合わせてキーを生成し、生成したキーによりファイルを暗号化し、また暗号化されたファイルを復号する。ファイルの暗号化に使用する暗号化キーと、復号に使用する復号キーとは同一のキー（すなわち、共通鍵暗号方式により生成されるキー）であってもよいし、異なるキーであってもよい。
【００４４】
記憶部１７０は、半導体メモリー素子により構成される不揮発性の記憶装置であり、例えば、フラッシュメモリー、ＥＰＲＯＭ（Erasable Programmable ROM）、ＥＥＰＲＯＭ（Electrically EPROM）などの記憶装置により実現される。また、記憶部１７０には、制御部１６０のデータ保存部１６４により生成されたファイルを記憶する。ファイルには、データ保存部１６４によりコンテンツデータが保存される。データ保護機能がオンされている場合、記憶部１７０が記憶するファイルは、すべて暗号化される。
【００４５】
図２は、制御部１６０の処理の流れを示すフローチャートである。
制御部１６０は、まず、ユーザーにより操作パネル１３１又はリモコン５が操作され、入力を受け付けたか否かを判定する（ステップＳ１）。入力を受け付けていない場合（ステップＳ１／ＮＯ）、制御部１６０は、ステップＳ１の判定を繰り返す。また、制御部１６０は、入力を受け付けた場合（ステップＳ１／ＹＥＳ）、受け付けた入力がデータ保護機能をオンに設定する入力であるか否かを判定する（ステップＳ２）。
【００４６】
制御部１６０は、入力が、データ保護機能をオンに設定する入力ではない場合（ステップＳ２／ＮＯ）、受け付けた入力に対応した処理を行う（ステップＳ３）。また、制御部１６０は、入力が、データ保護機能をオンに設定する入力である場合（ステップＳ２／ＹＥＳ）、暗号化処理部１６５の処理により、記憶部１７０が記憶するすべてのファイルを暗号化する（ステップＳ４）。暗号化処理部１６５は、ＲＯＭに記憶された登録位置情報に基づいて生成した暗号化キーにより、記憶部１７０が記憶するコンテンツデータをファイルごとに暗号化する。
【００４７】
次に、制御部１６０は、操作パネル１３１又はリモコン５が操作され、入力を受け付けたか否かを判定する（ステップＳ５）。入力を受け付けていない場合（ステップＳ５／ＮＯ）、制御部１６０は、ステップＳ５の判定を繰り返す。また、制御部１６０は、入力を受け付けた場合（ステップＳ５／ＹＥＳ）、受け付けた入力が、データ保存を指示する入力であるか否かを判定する（ステップＳ６）。データ保存を指示する入力ではなかった場合（ステップＳ６／ＮＯ）、制御部１６０は、ステップＳ１０の判定に移行する。この判定の詳細については後述する。
【００４８】
制御部１６０は、データ保存を指示する入力を受け付けた場合（ステップＳ６／ＹＥＳ）、データ保存部１６４によりコンテンツデータを保存するファイルを記憶部１７０に作成し（ステップＳ７）、作成したファイルのファイル名の入力を受け付ける。ファイル名の入力を受け付け、フレームメモリー１５４に第１画像データ及び第２画像データの少なくとも一方が展開されると、データ保存部１６４は、画像合成部１５３から第１画像データ及び第２画像データの少なくとも一方を取得し、コンテンツデータとして作成したファイルに保存する（ステップＳ７）。
また、データ保存部１６４は、フレームメモリー１５４に展開される第１画像データ及び第２画像データの少なくとも一方が変更されるごとに、画像合成部１５３から第１画像データ及び第２画像データ、又は第１画像データ及び第２画像データのいずれか一方を取得する。そして、データ保存部１６４は、取得した画像データ（第１画像データ及び第２画像データの少なくとも一方）をコンテンツデータとして記憶部１７０のファイルに保存する（ステップＳ７）。データ保存部１６４は、コンテンツデータをファイルに保存する際に、コンテンツデータに、コンテンツデータの保存時刻等の付加情報を付加して保存してもよい。
【００４９】
次に、データ保存部１６４は、操作パネル１３１やリモコン５の操作により、データ保存を終了させる入力を受け付けたか否かを判定する（ステップＳ８）。データ保存部１６４は、データ保存を終了させる入力を受け付けていない場合（ステップＳ８／ＮＯ）、ステップＳ７の処理を第１画像データ及び第２画像データの少なくとも一方が変更されるごとに繰り返す。また、データ保存を終了させる入力を受け付けた場合（ステップＳ８／ＹＥＳ）、制御部１６０は、暗号化処理部１６５により、コンテンツデータを保存したファイルを暗号化して、記憶部１７０に記憶させる（ステップＳ９）。暗号化処理部１６５は、ＲＯＭから登録位置情報を読み出し、読み出した登録位置情報に基づいて生成した暗号化キーにより、コンテンツデータを保存したファイルを暗号化する。制御部１６０は、ファイルを暗号化して記憶部１７０に記憶させると、ステップＳ５の判定に戻り、入力を受け付けたか否かを判定する。
【００５０】
図３は、図２の続きを示すフローチャートである。
制御部１６０は、ステップＳ６の判定が否定判定である場合（ステップＳ６／ＮＯ）、受け付けた入力がデータの取得要求であるか否かを判定する（ステップＳ１０）。受け付けた入力がデータの取得要求であると判定すると（ステップＳ１０／ＹＥＳ）、制御部１６０の暗号化処理部１６５は、ＧＰＳ測位部１３５に、位置情報の取得要求を出力する（ステップＳ１１）。ＧＰＳ測位部１３５から取得した位置情報を、以下では測位情報という。ＧＰＳ測位部１３５から測位情報を取得すると、暗号化処理部１６５は、ＲＯＭから登録位置情報を読み出し、ＧＰＳ測位部１３５から取得した測位情報が示す位置が、登録位置情報が示す位置から事前に設定された範囲内にあるか否かを判定する（ステップＳ１２）。測位情報の示す位置が、登録位置情報の示す位置から事前に設定された範囲内にない場合（ステップＳ１２／ＮＯ）、暗号化処理部１６５は、乱数発生部１６６にランダムな数字を発生させ、ランダムな数字の暗号化キーを生成する（ステップＳ１４）。制御部１６０は、生成された暗号化キーにより記憶部１７０の記憶するすべてのファイルを暗号化し、データが復号できないように処理する（ステップＳ１５）。
【００５１】
また、暗号化処理部１６５は、測位情報の示す位置が、登録位置情報の示す位置から事前に設定された範囲内にあると判定した場合（ステップＳ１２／ＹＥＳ）、復号処理部１６７に、ファイルの復号を指示する。復号処理部１６７は、操作パネル１３１又はリモコン５の操作により指定されたファイル名のファイルを、ＲＯＭから取得した登録位置情報に基づいて生成した復号キーにより復号する（ステップＳ１３）。
【００５２】
また、ステップＳ１０の判定において、受け付けた入力がデータの取得要求ではないと判定した場合（ステップＳ１０／ＮＯ）、制御部１６０は、受け付けた入力がデータ保護機能をオフにする入力であるか否かを判定する（ステップＳ１６）。データ保護機能をオフにする入力であった場合（ステップＳ１６／ＹＥＳ）、制御部１６０は復号処理部１６７により、記憶部１７０の記憶するすべてのファイルを、登録位置情報に基づいて生成した復号キーにより復号し、処理を終了する（ステップＳ１７）。
【００５３】
また、受け付けた入力がデータ保護機能をオフにする入力ではない場合（ステップＳ１６／ＮＯ）、制御部１６０は、受け付けた入力がプロジェクター１００の電源をオフにする入力であるか否かを判定する（ステップＳ１８）。受け付けた入力が電源をオフにする入力である場合（ステップＳ１８／ＹＥＳ）、データ保存部１６４は、未保存のコンテンツデータがあるか否かを判定する（ステップＳ１９）。未保存のコンテンツデータがあると判定した場合（ステップＳ１９／ＹＥＳ）、データ保存部１６４は、未保存のコンテンツデータをファイルに保存し、暗号化処理部１６５は、コンテンツデータを保存したファイルを、登録位置情報に基づいて生成した暗号化キーにより暗号化する（ステップＳ２０）。そして、制御部１６０は、プロジェクター１００の電源をオフにする。また、未保存のコンテンツデータがないと判定した場合（ステップＳ１９／ＮＯ）、制御部１６０は、プロジェクター１００の電源をオフにする。
また、受け付けた入力がプロジェクター１００の電源をオフにする入力ではない場合（ステップＳ１８／ＮＯ）、制御部１６０は、受け付けた入力に対応した処理を行い（ステップＳ２１）、ステップＳ５の判定に戻って、入力を受け付けたか否かを判定する。
【００５４】
図４は、プロジェクター１００の電源がオンされ、制御部１６０が起動した際の処理フローを示すフローチャートである。
プロジェクター１００の電源がオンされて起動すると（ステップＳ３１／ＹＥＳ）、暗号化処理部１６５は、ＧＰＳ測位部１３５に、測位情報の取得要求を出力し、ＧＰＳ測位部１３５から測位情報を取得する（ステップＳ３２）。次に、暗号化処理部１６５は、ＲＯＭから登録位置情報を読み出し、ＧＰＳ測位部１３５から取得した測位情報の示す位置が、登録位置情報の示す位置から事前に設定された範囲内にあるか否かを判定する（ステップＳ３３）。測位情報の示す位置が、登録位置情報の示す位置から事前に設定された範囲内にある場合（ステップＳ３３／ＹＥＳ）、図２に示すステップＳ５の判定に移行する。また、測位情報の示す位置が、登録位置情報の示す位置から事前に設定された範囲内にない場合（ステップＳ３３／ＮＯ）、暗号化処理部１６５は、乱数発生部１６６にランダムな数字を発生させ、ランダムな数字の暗号化キーを生成する（ステップＳ３４）。暗号化処理部１６５は、生成された暗号化キーにより記憶部１７０の記憶するすべてのファイルを暗号化し、データが復号できないように処理する（ステップＳ３５）。
【００５５】
上述のフローチャートでは、ＧＰＳ測位部１３５により測位された測位情報の示す位置が、登録位置情報の示す位置から事前に設定された範囲内にあるか否かを判定して、記憶部１７０の記憶するファイルを復号するか否かを判定した。その他の判定方法として、暗号化処理部１６５は、登録位置情報の示す位置と、ＧＰＳ測位部１３５から取得した測位情報の示す位置とが一致するか否かを判定して、記憶部１７０の記憶するファイルを復号するか否かを判定してもよい。
【００５６】
以上詳細に説明したように本実施形態のプロジェクター１００は、ＧＰＳ測位部１３５により特定された位置が、事前に設定された位置であるか否かを判定する暗号化処理部１６５を備える。暗号化処理部１６５は、特定された位置が、事前に設定された位置ではないと判定された場合に、記憶部１７０の記憶するデータの復号を制限する。従って、プロジェクター１００に保存されるデータの安全性を高め、情報の漏洩を防止することができる。
【００５７】
また、プロジェクター１００は、外部装置（外部）としての画像供給装置２００から供給された画像データに基づく画像を表示させる表示部１１０と、表示部１１０により画像が表示されたスクリーンＳＣへの指示体７０による操作を検出する指示体検出部１４０と、指示体検出部１４０により検出された操作に対応した画像データを生成する描画処理部１６３とを備える。暗号化処理部１６５は、画像供給装置２００から供給された画像データ（第１画像データ）と、描画処理部１６３により生成された操作に対応した画像データ（第２画像データ）との少なくとも一方を暗号化し、記憶部１７０に記憶させる。従って、スクリーンＳＣに画像を表示させた画像データと、操作に対応した画像データとの少なくとも一方を暗号化し、記憶部１７０に記憶させることができる。
【００５８】
また、暗号化処理部１６５は、画像供給装置２００から供給された画像データ（第１画像データ）と、描画処理部１６３により生成された操作に対応した画像データ（第２画像データ）との少なくとも一方を、ＧＰＳ測位部１３５により特定された位置情報に基づく暗号化キーにより暗号化する。従って、プロジェクター１００が盗まれたり、記憶部１７０からデータが複製されて流通しても、事前に設定された位置以外の他の位置での復号は不可能となる。このため、事前に設定された位置以外の他の位置でのデータの閲覧を制限することができる。
【００５９】
また、暗号化処理部１６５は、ＧＰＳ測位部１３５により特定された位置が、事前に設定された位置であると判定された場合に、記憶部１７０に記憶されたデータを復号する。従って、プロジェクター１００の位置が事前に設定された位置である場合に、データを復号することができる。
【００６０】
また、暗号化処理部１６５は、ＧＰＳ測位部１３５により特定される位置情報に基づく暗号化キーにより暗号化されたデータを、位置情報に基づく復号キーにより復号する。従って、暗号化されたデータを、事前に設定された位置でだけ復号し、これ以外の位置では復号を制限することができる。
【００６１】
また、暗号化処理部１６５は、ＧＰＳ測位部１３５により特定された位置が、事前に設定された前記位置ではないと判定された場合に、復号不能なキーにより記憶部１７０に記憶されたデータをさらに暗号化する。従って、無断複製、紛失、盗難等によりデータが第三者の手に渡っても、データの閲覧を不可能にして、情報の安全性をさらに高めることができる。
【００６２】
また、記憶部１７０は、半導体メモリー素子により構成される。暗号化処理部１６５は、ＧＰＳ測位部１３５により特定された位置が、事前に設定された位置ではないと判定された場合に、記憶部１７０に対し、事前に設定された回数以上の書き込み処理を実行する。従って、無断複製、紛失、盗難等によりデータが第三者の手に渡っても、データの閲覧を不可能にして、情報の安全性をさらに高めることができる。
【００６３】
また、暗号化処理部１６５は、プロジェクター１００の起動時に、ＧＰＳ測位部１３５により特定された位置が、事前に設定された位置であるか否かを判定する。従って、プロジェクター１００が第三者により盗まれ、事前に設定された位置以外の他の位置で起動されても、データの閲覧を制限することができる。
【００６４】
また、暗号化処理部１６５は、ＧＰＳ測位部１３５により特定された位置が、事前に設定された範囲内にある場合に、特定された位置が、事前に設定された位置にあると判定する。従って、事前に設定された範囲内で、プロジェクター１００を使用することができる。
【００６５】
上述した実施形態は、本発明の好適な実施形態を示すものであり、本発明を限定するものではなく、本発明の要旨を逸脱しない範囲内において種々の変形実施が可能である。
例えば、上述した実施形態では、測位情報の示す位置が、登録位置情報の示す位置から事前に設定された範囲内にない場合に、暗号化処理部１６５が復号不能なキーによりデータを暗号化し、データが第三者に閲覧されないようにした。記憶部１７０の記憶するデータが第三者に閲覧されないようにする他の対策として、暗号化処理部１６５が、記憶部１７０に対し、記憶部１７０に事前に設定された書き換え可能回数以上のデータ書き込みを実行し、データが第三者に閲覧されないようにしてもよい。記憶部１７０を、フラッシュメモリー、ＥＰＲＯＭ、ＥＥＰＲＯＭ等の半導体メモリー素子から構成される記憶装置により構成する場合、暗号化処理部１６５が、事前に設定された書き換え可能回数以上、記憶部１７０にデータを書き込み、記憶部１７０がデータを維持できないようにする、又は記憶部１７０が記憶するデータ自体が破壊されるようにしてもよい。
【００６６】
また、上述した実施形態では、事前に設定された位置以外の位置では、発生した乱数によりコンテンツデータをさらに暗号化したが、コンテンツデータを暗号化した上で、プロジェクター１００の電源が入らないようにしてもよい。
【００６７】
また、プロジェクター１００が指示体検出部１４０を内蔵する構成を例に挙げて説明したが、本発明はこれに限定されず、指示体検出部１４０がプロジェクター１００に外部接続される構成であってもよい。例えば、指示体検出部１４０の機能を有する位置検出装置を、プロジェクター１００のそれぞれに接続して使用してもよい。
【００６８】
また、本発明の表示装置は、透過型液晶パネルを用いた液晶プロジェクターとして説明したが、反射型の液晶パネルやデジタルミラーデバイスを用いたプロジェクターであってもよい。また、スクリーンＳＣに画像を投射するプロジェクターに限定されず、液晶表示パネルに画像を表示する液晶モニター又は液晶テレビ、或いは、ＰＤＰ（プラズマディスプレイパネル）に画像を表示するモニター装置又はテレビ受像機、ＯＬＥＤ（Organic light-emitting diode）、ＯＥＬ（Organic Electro-Luminescence）等と呼ばれる有機ＥＬ表示パネルに画像を表示するモニター装置又はテレビ受像機等の自発光型の表示装置など、各種の表示装置も本発明の表示装置に含まれる。
【００６９】
また、図１に示すプロジェクター１００の各機能部は、ハードウェアとソフトウェアとの協働により実現される機能的構成を示すものであって、具体的な実装形態は特に制限されない。従って、必ずしも各機能部に個別に対応するハードウェアが実装される必要はなく、一つのプロセッサーがプログラムを実行することで複数の機能部の機能を実現する構成とすることも勿論可能である。また、上記実施形態においてソフトウェアで実現されている機能の一部をハードウェアで実現してもよく、あるいは、ハードウェアで実現されている機能の一部をソフトウェアで実現してもよい。
【符号の説明】
【００７０】
７０…指示体、１００…プロジェクター（表示装置）、１１０…表示部、１３５…ＧＰＳ測位部（位置特定部）、１４０…指示体検出部（検出部）、１４１…撮影部、１４２…位置検出部、１５１…画像入力部、１５２…画像処理部、１５３…画像合成部、１５４…フレームメモリー、１６０…制御部、１６１…投射制御部、１６２…操作取得部、１６３…描画処理部（生成部）、１６４…データ保存部、１６５…暗号化処理部（暗号化部、判定部、復号制御部）、１６６…乱数発生部、１６７…復号処理部（処理部）、１７０…記憶部、２００…画像供給装置、ＳＣ…スクリーン。
【図１】
2017092516.tif 000003
【図２】
2017092516.tif 000004
【図３】
2017092516.tif 000005
【図４】
2017092516.tif 000006